(57)【要約】【課題】  転写ロールを回動させて中間転写体から接離する構成において、回動動作を安定して行う。【解決手段】  回動軸シャフト１０２がアーム１０４を貫通する構成であり回動機構１００は剛性が高いので、アーム１０４が捩れない。よって、回動動作に対して安定した動作が行える。また、二次転写ロール８０を精度良く中間転写ベルト６４に当接できる。回動軸シャフト１０２は、記録用紙の搬送路に面している。ただし、記録用紙Ｐとは接触しない位置となっている。また、記録用紙の幅以上に渡って露出している。そして、回動軸シャフト１０２は金属性で導電性を有している。したがって、記録用紙が、回動軸シャフト１０２上を通過する際に、回動軸シャフト１０２に放電し、記録用紙Ｐが除電される。【選択図】        図４
2005300847.tif 000002
【特許請求の範囲】
【請求項１】
トナー像が形成される像担持体と、
前記像担持体と当接し、該像担持体とのニップ部を通る記録媒体に前記トナー像を転写させる転写ロールと、
前記転写ロールの回転軸の両端部を支持するアームと、前記アームを回動可能に両端部で支持する回動軸シャフトと、を備え、前記回動軸シャフトを中心に該アームが回動し、前記像担持から該転写ロールを接離させる回動機構と、
を備え、
前記回動軸シャフトは、前記記録媒体の搬送路に面して設けられていることを特徴とする画像形成装置。
【請求項２】
前記回動機構は、
前記転写ロールが前記像担持体に当接する方向へ前記アームを付勢する付勢手段と、
前記アームを回動させるカムと、
を備え、
前記付勢手段は、前記回動軸シャフトに対して前記転写ロールより離れた位置を付勢し、前記カムは前記アームを押圧し該転写ロールを像担持体から離間させることを特徴とする請求項１に記載の画像形成装置。
【請求項３】
前記回動軸シャフトは、前記搬送路に対し露出していることを特徴とする請求項１又は請求項２に記載の画像形成装置。
【請求項４】
前記回動軸シャフトは、導電性であることを特徴とする請求項３に記載の画像形成装置。
【請求項５】
前記回動軸シャフトは、接地されていないことを特徴とする請求項４に記載の画像形成装置。
【請求項６】
前記回動軸シャフトは、抵抗を介して接地されていることを特徴とする請求項４に記載の画像形成装置。
【請求項７】
前記回動軸シャフトは、ダイオードを介して接地されていることを特徴とする請求項４に記載の画像形成装置。
【請求項８】
前記回動軸シャフトは、前記記録媒体の搬送方向に対して前記転写ロールの下流側にあることを特徴とする請求項４から請求項７のいずれか１項に記載の画像形成装置。
【請求項９】
前記回動軸シャフトは、前記記録媒体の搬送方向に対して前記転写ロールの上流側にあることを特徴とする請求項４から請求項７のいずれか１項に記載の画像形成装置。
【発明の詳細な説明】
【技術分野】
【０００１】
本発明は、画像形成装置に関する。
【背景技術】
【０００２】
カラー画像を形成する画像形成装置として、以下のような公知の電子写真プロセスを用いた画像形成装置が知られている。
【０００３】
感光体に形成された潜像を一回転毎に各色の現像器で現像してトナー像を形成し、中間転写体に転写する。そして、順次、各色のトナー像を中間転写体上に重ね合わせ、カラー像を形成する。このカラー像を中間転写体から一括して記録媒体に転写し、転写されたカラー像を記録媒体に定着することで、記録媒体にカラー画像を記録する
中間転写体から記録媒体への転写は、中間転写体に転写ロールを当接させ、転写ロールに転写バイアスを印加しながら、中間転写体と転写ロールとのニップ部に記録媒体を通して、カラー像を記録媒体に転写している。
【０００４】
さて、各色のトナー像を中間転写体上に重ね合わせてカラー像を形成中に中間転写体に転写ロールが当接していると、転写ロールでカラー画像が乱れる。したがって、中間転写体から記録媒体への転写時以外は、中間転写体から転写ロールを接離させる機構が必要である。
【０００５】
よって、転写ロールを取りつけたアームを偏心カムで回動させて接離させる機構を備えた画像形成装置がある。（例えば、特許文献１参照）。
【特許文献１】特開平１１−１６１０５０号公報
【発明の開示】
【発明が解決しようとする課題】
【０００６】
しかしながら、特開平１１−１６１０５０号公報に記載の方法では、アームの回動中心は単なる支点であるため剛性不足となり、例えば、アームが捩れて、転写ロールの回動動作が安定して行なわれない可能性がある。また、このため、像担持体に転写ロールを精度良く当接できない可能性もある。
【０００７】
更に、アームは支点から転写ロールと反対方向に延び、そして、この支点から転写ロールと反対方向に延びたアーム部分にバネとカムとが位置しているので、占有するスペースが大きい。
【０００８】
本発明は、上記問題を解決すべく成されたもので、転写ロールを回動させて中間転写体から接離する構成において、回動動作を安定して行うことを目的とする。
【課題を解決するための手段】
【０００９】
請求項１に記載の画像形成装置は、トナー像が形成される像担持体と、前記像担持体と当接し、該像担持体とのニップ部を通る記録媒体に前記トナー像を転写させる転写ロールと、前記転写ロールの回転軸の両端部を支持するアームと、前記アームを回動可能に両端部で支持する回動軸シャフトと、を備え、前記回動軸シャフトを中心に該アームが回動し、前記像担持から該転写ロールを接離させる回動機構と、を備え、前記回動軸シャフトは、前記記録媒体の搬送路に面して設けられていることを特徴としている。
【００１０】
請求項１に記載の画像形成装置は、トナー像が形成される像担持体に当接し、像担持体とのニップ部を通る記録媒体にトナー像を転写させる転写ロールを備えている。
【００１１】
回動機構のアームは、回転軸シャフトの両端部て回動可能に支持されている。また、アームは転写ロールの回転軸の両端部を支持している。そして、回動軸シャフトを中心にアームが回動し、像担持から転写ロールを接離させる。
【００１２】
このように、回動軸シャフトの両端部がアームに取り付けられている構成であるので、剛性の高い回動機構となっている。よって、例えば、回動動作によって、アームが捩れることが少ない。したがって、回動動作が安定して行われる。このため、像担持体に転写ロールを精度良く当接できる。
【００１３】
さて、記録媒体は、転写ロールと中間転写体とのニップ部を通る。ニップ部から出た記録媒体の搬送路は、転写ロールと中間転写体とに対して略９０度の方向となる。また、回動軸シャフトは、記録媒体の搬送路に面して設けられている。よって、アームが回動し、転写ロールを中間転写体に付勢する方向は、中間転写体に対向する方向と略同方法となる。このため、転写ロールを中間転写体に付勢する付勢力を効率良く伝えることができる。
【００１４】
請求項２に記載の画像形成装置は、請求項１に記載の構成において、前記回動機構は、前記転写ロールが前記像担持体に当接する方向へ前記アームを付勢する付勢手段と、前記アームを回動させるカムと、を備え、前記付勢手段は、前記回動軸シャフトに対して前記転写ロールより離れた位置を付勢し、前記カムは前記アームを押圧し該転写ロールを像担持体から離間させることを特徴としている。
【００１５】
請求項２に記載の画像形成装置は、回動機構が転写ロールが像担持体に当接する方向へアームを付勢する付勢手段と、アームを回動させるカムと、を備えている。そして、カムはアームを押圧し転写ロールを像担持体から離間させる。
【００１６】
付勢手段は、回動軸シャフトに対して転写ロールより離れた位置を付勢しているので、転写ロールと回動軸シャフトより、付勢手段と回動軸シャフトと距離の方が長い。よって、テコの原理で、付勢手段の付勢力よりも大きな力で、転写ロールを中間転写体に付勢できる。
【００１７】
更に、回動軸シャフトに対して転写ロールより離れた位置を付勢手段が付勢する構成であるので、例えば、付勢手段と転写ロールとの間に回動軸シャフトがある構成と比較し、転写ロールを中間転写体に付勢する付勢力が同じでも、省スペースとなっている。
【００１８】
請求項３に記載の画像形成装置は、請求項１又は請求項２に記載の構成において、前記回動軸シャフトは、前記搬送路に対し露出していることを特徴としている。
【００１９】
請求項３に記載の画像形成装置は、回動軸シャフトは、例えば、カバー等で覆われずにで搬送路に対し露出しているので、低コストであるとともに、コンパクトな回動機構で転写ロールを中間転写体に効率良く付勢することができる。
【００２０】
請求項４に記載の画像形成装置は、請求項３に記載の構成において、前記回動軸シャフトは、導電性であることを特徴としている。
【００２１】
請求項４に記載の画像形成装置は、記録媒体は搬送される際に、例えば、搬送路中の各種部材と接触し帯電する。このため、記録媒体に転写されたトナー像が、静電気によって乱れ、画質を劣化させることがある。よって、帯電した記録媒体の除電を行うことが望ましい。
【００２２】
回動軸シャフトは、搬送路に面し、搬送路に対し露出している。また、導電性を有している。よって、記録媒体が回動軸シャフトに面する搬送路部分を搬送される際に、回動軸シャフトに放電し除電される。
【００２３】
請求項５に記載の画像形成装置は、請求項４に記載の構成において、前記回動軸シャフトは、接地されていないことを特徴としている。
【００２４】
請求項５に記載の画像形成装置は、請求項４と同様の作用を奏すが、回動軸シャフトは、接地されていないので、急激に記録媒体を除電しない。したがって、急激に除電されることによる画像の乱れが防止される。
【００２５】
請求項６に記載の画像形成装置は、請求項４に記載の構成において、前記回動軸シャフトは、抵抗を介して接地されていることを特徴としている。
【００２６】
請求項６に記載の画像形成装置は、請求項４と同様の作用を奏すが、回動軸シャフトは、抵抗を介して接地されているので、急激に記録媒体を除電しない。したがって、急激に除電されることによる画像の乱れが防止される。
【００２７】
請求項７に記載の画像形成装置は、請求項４に記載の構成において、前記回動軸シャフトは、ダイオードを介して接地されていることを特徴としている。
【００２８】
請求項７に記載の画像形成装置は、請求項４と同様の作用を奏すが、回動軸シャフトは、ダイオードを介して接地されているので、急激に記録媒体を除電しない。したがって、急激に除電されることによる画像の乱れが防止される。
【００２９】
請求項８に記載の画像形成装置は、請求項４から請求項７のいずれか１項に記載の構成において、前記回動軸シャフトは、前記記録媒体の搬送方向に対して前記転写ロールの下流側にあることを特徴としている。
【００３０】
請求項８に記載の画像形成装置は、回動軸シャフトが記録媒体の搬送方向に対して転写ロールの下流側にある。よって、記録媒体は、転写ロール後に回動軸シャフトで除電される。したがって、静電気によって記録媒体が中間転写体から剥離されずに巻き付いていくことが防止される。
【００３１】
請求項９に記載の画像形成装置は、請求項４から請求項７のいずれか１項に記載の構成において、前記回動軸シャフトは、前記記録媒体の搬送方向に対して前記転写ロールの上流側にあることを特徴としている。
【００３２】
請求項９に記載の画像形成装置は、回動軸シャフトは、記録媒体の搬送方向に対して転写ロールの上流側にある。よって、記録媒体にトナー像が転写される前に回動軸シャフトで除電される。このため、何らかの原因で回動軸シャフトに記録媒体が接触し、急激に除電されても、記録媒体に転写されたトナー像に影響を与えにくい。したがって、回動軸シャフトの位置精度がラフで良い。
【発明の効果】
【００３３】
以上説明したように本発明によれば、回動軸シャフトの両端がアームに取り付けられている構成であるので、剛性の高い回動機構となっている。したがって、回動動作が安定して行われる。
【発明を実施するための最良の形態】
【００３４】
以下、本発明にかかる画像形成装置を適用した一例として、公知の電子写真プロセスを適用したカラープリンタについて図面を参照して説明する。また、本発明が適用される画像形成装置は、以下で説明するカラープリンタに限らず、複写機、ファクシミリ、あるいは、複合機等の画像形成装置であってもよい。
【００３５】
本発明の第１の実施形態を図面に基づいて説明する。なお、以下の説明において、本発明の本質とは直接関係しないものについては、詳細な説明を省略する。
【００３６】
図１は、本発明の実施形態に係るカラープリンタ１０の概要が示されている。
【００３７】
カラープリンタ１０は、カラープリンタ本体１２を有し、このカラープリンタ本体１２の上部に回動支点１４を中心に回動自在の開閉カバー１６が設けられている。また、カラープリンタ本体１２の下部に給紙ユニット１８が配置されている。
【００３８】
給紙ユニット１８は、給紙ユニット本体２０と、記録用紙Ｐが収納される給紙カセット２２とを有する。給紙カセット２２の奥端近傍上部には、給紙カセット２２から記録用紙Ｐを供給するフィードロール２４、及び、供給される記録用紙Ｐを１枚ずつ捌くリタードロール２６が配置されている。
【００３９】
搬送路２８は、フィードロール２４から排出口３０までの記録用紙Ｐの通路である。搬送路２８は、カラープリンタ本体１２の裏側（図１の右側）近傍にあって、給紙ユニット１８から定着装置９０まで略垂直に形成されている。この搬送路２８の定着装置９０の上流側に二次転写ロール８０と二次転写バックアップロール７２とが配置され、二次転写ロール８０と二次転写バックアップロール７２の上流側にレジストロール３２が配置されている。また、搬送路２８の排出口３０の近傍には排出ロール３４が配置されている。
【００４０】
したがって、給紙ユニット１８の給紙カセット２２からフィードロール２４により送り出された記録用紙Ｐは、リタードロール２６により捌かれて最上部の記録用紙Ｐのみ搬送路２８に導かれ、レジストロール３２によりー時停止され、タイミングをとって二次転写ロール８０と中間転写ベルト６４（二次転写バックアップロール７２）との間を通ってトナー像が転写され、ガイド部材１５０にガイドされ定着装置９０に送られる。トナー像を転写された記録用紙は、定着装置９０により定着され、排出ロール３４により排出口３０から開閉カバー１６の上部に設けられた排出部３６へ排出される。この排出部３６は、排出口部分が低く、正面方向（図１の左方向）に向けて徐々に高くなるよう傾斜している。
【００４１】
カラープリンタ本体１２には、略中央部にロータリ現像装置３８が配置されている。ロータリ現像装置３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４２ａ〜４２ｄを有し、ロータリ現像装置中心４４を中心として左回り（図１において反時計回り）に回転する。現像器４２ａ〜４２ｄそれぞれは、現像ロール４６ａ〜４６ｄを有し、コイルスプリングなどの弾性体４８ａ〜４８ｄにより、現像器本体４０の法線方向に押圧されている。
【００４２】
ロータリ現像装置３８には、回転支軸４９を軸として回転する感光体ドラム５０が当接するように配置されており、現像ロール４６ａ〜４６ｄは、感光体ドラム５０に当接していない状態で、それぞれの外周の一部が現像器本体４０の外周から半径方向に、約２ｍｍ突出している。また、現像ロール４６ａ〜４６ｄそれぞれの両端には、現像ロール４６ａ〜４６ｄの直径よりもわずかに大きい直径のトラッキングロール（図示せず）が現像ロール４６ａ〜４６ｄと同軸で回転するように設けられている。つまり、現像器４２ａ〜４２ｄは、ロータリ現像装置中心４４を中心として、それぞれ９０°の間隔で現像器本体４０の外周に配置され、現像ロール４６ａ〜４６ｄのトラッキングロールが感光体ドラム５０の両端に設けられたフランジ（図示せず）に当接し、現像ロール４６ａ〜４６ｄと感光体ドラム５０との間に所定の隙間を形成しつつ、感光体ドラム５０上の潜像をそれぞれの色のトナーで現像する。
【００４３】
感光体ドラム５０の下方には、帯電ロール５２が設けられ、帯電ロール５２に帯電バイアスを印加し、感光体ドラム５０を一様に帯電する。感光体ドラム５０の回転支軸４９にぶら下がるように感光体ドラム用クリーナ５４が設けられており、感光体ドラム５０と感光体ドラム用クリーナ５４とは一体化されている。クリーニングブレード５６は、一次転写後に感光体ドラム５０に残留する廃トナーを掻き取る。クリーニングブレード５６が掻き取った廃トナーを回収するトナー回収ケース５８とから構成される。
【００４４】
なお、トナー回収ケース５８の背面側（図１において右側）は、リブなどが形成され、記録用紙Ｐが滑らかに搬送されるように曲面にされて搬送路２８の一部を形成している。
【００４５】
ロータリ現像装置３８の下方背面側には、帯電ロール５２により帯電された感光体ドラム５０に、レーザ光などの光線により潜像を書き込む露光装置６０が配置されている。また、ロータリ現像装置３８の上方には、ロータリ現像装置３８によって可視化されたトナー像を一次転写位置で一次転写され、二次転写位置Ａ（二次転写ロール８０と二次転写バックアップロール７２とのニップ部）まで搬送する中間転写装置６２が設けられている。
【００４６】
中間転写装置６２は、中間転写ベルト６４、一次転写ロール６６、ラップインロール６８、ラップアウトロール７０、二次転写バックアップロール７２、スクレーパバックアップロール７４及びブラシバックアップロール７６等を有する。
【００４７】
中間転写ベルト６４は、弾性を有し、ロータリ現像装置３８の上方で長辺と短辺とを有するように略扁平に張られている。中間転写ベルト６４の上両側の長辺は、カラープリンタ本体１２の上部に設けられた排出部３６に対して略平行となるように張られている。
【００４８】
また、中間転写ベルト６４は、中間転写ベルト６４の長辺下方で一次転写ロール６６の上流に配置されたラップインロール６８と、一次転写ロール６６の下流に配置されたラップアウトロール７０との間で感光体ドラム５０にラップ状に接触する一次転写部（感光体ドラムラップ領域）を有し、感光体ドラム５０に所定の範囲だけ巻きついて、感光体ドラム５０の回転に従動する。このように、中間転写ベルト６４は、一次転写ロール６６によって感光体ドラム５０上のトナー像を、イエロー、マゼンタ、シアン、黒の順に重ねて一次転写され、この一次転写されたトナー像を二次転写ロール８０に向けて搬送する。なお、ラップインロール６８及びラップアウトロール７０は、感光体ドラム５０から離間している。
【００４９】
このように、中間転写ベルト６４は、ラップインロール６８、ラップアウトロール７０、二次転写バックアップロール７２、スクレーパバックアップロール７４及びブラシバックアップロール７６の５つのロールにより張架されており、一次転写ロール６６によって感光体ドラム５０上のトナー像が転写される。
【００５０】
更に、中間転写ベルト６４の裏側（図１の右側面）には、ラップアウトロール７０及び二次転写バックアップロール７２により平面部（短辺）が形成されており、この平面部が二次転写部となって搬送部２８に臨むようにされている。
【００５１】
なお、二次転写部において、中間転写ベルト６４と搬送路２８との間が、約１２°の角度になるように、ラップアウトロール７０は配置されている。
【００５２】
スクレーパバックアップロール７４は、二次転写後に中間転写ベルト６４に残留する廃トナーをスクレーパ８４が掻き取ることを補助し、ブラシバックアップロール７６は、二次転写後に中間転写ベルト６４に残留する廃トナーをブラシロール８６が掻き取ることを補助する。
【００５３】
中間転写ベルト６４の長辺上方には、反射型フォトセンサ７８が開閉カバー１６の裏面（内側）に固定されることによって設けられている。反射型フォトセンサ７８は、中間転写ベルト６４上に形成されたトナーのパッチを読み取り、中間転写ベルト６４の回転方向における位置を検出するとともに、トナー像の濃度検知を行う。
【００５４】
中間転写装置６２の二次転写バックアップロール７２には、搬送路２８を挟んで二次転写ロール８０が対峙している。つまり、二次転写ロール８０と二次転写バックアップロール７２との間が二次転写部における二次転写位置Ａとなっており、二次転写ロール８０は、二次転写バックアップロール７２の補助により、中間転写ベルト６４に一次転写されたトナー像を二次転写位置Ａで記録用紙Ｐに二次転写する。ここで、二次転写ロール８０は、回動機構１００によって、中間転写ベルト６４が３回転する間、すなわちイエロー、マゼンタ、シアンの３色のトナー像を中間転写ベルト上に重ねて一次転写され、搬送されている間は中間転写ベルト６４から離間しており、黒のトナー像が転写されると中間転写ベルト６４に当接するようにされている。（回動機構１００の詳細は後述する）。
【００５５】
なお、二次転写ロール８０と二次転写バックアップロール７２との間には、所定の電位差が生じるように、二次転写口―ル８０には転写バイアスが印加され、二次転写バックアップロール７２はグランド（ＧＮＤ）に接続される。
【００５６】
中間転写ベルト６４の反感光体ドラム５０側端には、中間転写ベルト用クリーナ８２が設けられている。中間転写ベルト用クリーナ８２は、スクレーパ８４、ブラシロール８６、トナー回収ケース８８及び回転支軸８９を有し、回転支軸８９を軸として揺動する。スクレーパ８４は、二次転写後に中間転写ベルト６４に残留する廃トナーを掻き取ってクリーニングする。ブラシロール８６は、スクレーパ８４によるクリーニング後に残った廃トナーをさらに掻き取る。トナー回収ケース８８は、スクレーパ８４及びブラシロール８でクリニーングした廃トナーを回収する。スクレーパ８４は、ステンレスの薄板からなり、トナーとは逆極性の電圧がかけられている。
【００５７】
ブラシロール８６は、導電性の処理がなされたアクリルなどのブラシからなる。そして、中間転写ベルト６４がトナー像を搬送する間には、スクレーパ８４及びブラシロール８６が中間転写ベルト６４から離間しており、所定のタイミングでこれらが一体となって中間転写ベルト６４に当接するようにされている。
【００５８】
二次転写位置Ａの上方には、定着装置９０が配置されている。定着装置９０は、加熱ロール９２と加圧ロール９４とを有し、二次転写ロール８０及び二次転写バックアップロール７２により記録用紙Ｐに二次転写されたトナー像を記録用紙Ｐに定着させ、排出ロール３４に向けて搬送する。排出ロール３４は、排出口３０から開閉カバー１６の上部に設けられた排出部３６へ記録用紙Ｐを排出する。
【００５９】
中間転写装置６２、感光体ドラム５０、帯電ロール５２、感光体ドラム用クリーナ５４及び中間転写ベルト用クリーナ８２を一体化し像形成ユニット９６を構成している。また、この像形成ユニット９６は、開閉カバー１６の排出部３６の直近下方に配置され、カラープリンタ本体１２に対して着脱自在となっており、開閉カバー１６を開くことにより着脱される。
【００６０】
図２から図４に回動機構１００を示している。
【００６１】
図２に示すように、二次転写ロール８０の回転軸１０１がアーム１０４、１１４に回転自在に支持されている。また、金属性の回動軸シャフト１０２がアーム１０４，１１４に貫通し、アーム１０４，１１４を回動可能に支持している。また、回動軸シャフト１０２の両端は、筐体（図示省略）に固定されている。
【００６２】
なお、回動機構１００は、左右同様の構成となっているので、以下の説明ではアーム１０４，１１４等と記載するが、図３以降の図では一方（アーム１０４側）のみを図示している。また、以下で説明するバネ１０８や偏心カム１０６なども左右１対となって構成されている。
【００６３】
図３に示すように、アーム１０４，１１４は、アーム１０４ａ，１１４ａとアーム１０４ｂ，１１４ｂとからなるＬ字形状をしている。
【００６４】
回動軸シャフト１０２は、アーム１０４ａ，１１４ａとアーム１０４ｂ，１１４ｂとの分岐部分（Ｌ字の角部）に、回転自在に固定さている。アーム１０４ａ，１１４ａの端部には、バネ１０８の一端側が取り付けられ、他端側は図示しない筐体などに固定されている。よって、バネ１０８によって、アーム１０４，１１４を二次転写ロール８０を中間転写ベルト６４に当接する方向に付勢している。また、偏心カム１０６がアーム１０４ｂ，１１４ｂに離接可能に配設されている。偏心カム１０６は、図示しない駆動手段によって回動する。
【００６５】
よって、偏心カム１０６を図４（ａ）に示した位置の場合は、アーム１０４ｂ，１１４ｂから偏心カム１０６が離間しているので、バネ１０８の付勢力で二次転写ロール８０が中間転写ベルト６４に付勢されている。しかし、偏心カム１０６を回動させ図４（ｂ）の位置とすると、偏心カム１０６がアーム１０４ｂ，１１４ｂを上方へ持ち上げ、二次転写ロール８０が中間転写ベルト６４から離間する。つまり、アーム１０４，１１４は回動軸シャフト１０２を回動軸として回動し、二次転写ロール８０が中間転写ベルト６４に対して離接する。
【００６６】
図３に示すように、回動軸シャフト１０２は、記録用紙Ｐの搬送方向に対して、二次転写ロール８０の下流側の位置している。また、記録用紙Ｐの搬送路２８に面している。ただし、記録用紙Ｐとは接触しない位置となっている。
【００６７】
また、図２に示すように、左右のアーム１０４，１１４間は、記録用紙Ｐの幅以上に渡っている。このように、回動軸シャフト１０２がアーム１０４，１１４を貫通する構成であるので、回動機構１００全体として剛性が高い。また、回動軸シャフト１０２は、所定の抵抗値の抵抗１２０を介して接地されている。更に、回動軸シャフト１０２は、カバー等で覆われておらず搬送路２８に対し露出している。
【００６８】
つぎに、上記実施形態の作用について説明する。
【００６９】
図１に示すように、画像形成信号が送られると、感光体ドラム５０が帯電ロール５２により一様に帯電され、この帯電された感光体ドラム５０は、画像信号に基づいて露光装置６０から光線が出射される。露光装置６０からの光線は、感光体ドラム５０の表面を露光し、潜像が形成される。露光装置６０により形成された感光体ドラム５０の潜像は、ロータリ現像装置３８によってイエロー、マゼンタ、シアン、黒のトナー像を順次現像し、そして、順次、各色のトナー像を中間転写ベルト６４に重ねて一次転写して重ね合わせ、カラー像を形成する。一次転写において、感光体ドラム５０に残留する廃トナーは、クリーニングブレード５６によって掻き取られ、回収される。
【００７０】
さて、前述したように各色のトナー像を中間転写ベルト６４上に重ね合わせてカラー像を形成するときに、中間転写ベルト６４に二次転写ロール８０が当接していると、二次転写ロール８０でカラー画像が乱れる。したがって、図４（ｂ）に示すように、回動機構１００のアーム１０４，１１４を回動させ、二次転写ロール８０を中間転写ベルト６４から離間させておく。
【００７１】
一方、給紙信号により、給紙カセット２２に収納された記録用紙Ｐは、フィードロール２４により送り出され、リタードロール２６により捌かれて搬送路２８に導かれ、レジストロール３２により一時停止され、タイミングをとって案内部材２９へ向けて搬送される。案内部材２９は、記録用紙Ｐを二次転写位置Ａへ記録用紙Ｐを案内する。
【００７２】
なお、記録用紙Ｐが二次転写位置Ａに導かれる直前に、図４（ａ）に示すように、アーム１０４，１１４を回動させ、二次転写ロール８０を中間転写ベルト６４に当接させておく。
【００７３】
記録用紙Ｐが、中間転写ベルト６４（二次転写バックアップロール７２）と二次転写ロール８０とのニップ部（二次転写位置Ａ）を通過する際に、二次転写ロール８０に転写バイアスを印加することで、中間転写ベルト６４に一次転写されているトナー像が記録用紙Ｐに二次転写される。二次転写後に、中間転写ベルト６４に残留する廃トナーは、中間転写ベルト用クリーナ８２によって掻き取られ、回収される。
【００７４】
トナー像が転写された記録用紙Ｐはガイド部材１５０によって定着装置９０に導かれ、加熱ロール９２と加圧ロール９４とによる熱圧力によって、トナー像を定着される。トナー像が定着した記録用紙Ｐは、排出ロール３４により排出口３０から排出部３６へ排出される。
【００７５】
二次転写ロール８０は、中間転写ベルト６４（二次転写バックアップロール７２）に対して、所定の押圧力で当接させる必要がある。よって、回動動作を行うためには、回動機構１００は所定の剛性が必要である。上述したように、回動軸シャフト１０２がアーム１０４，１１４を貫通する構成であり回動機構１００は剛性が高いので、アーム１０４，１１４が捩れない。よって、回動動作に対して安定した動作が行える。また、二次転写ロール８０を精度良く中間転写ベルト６４に当接できる。
【００７６】
さて、図３に示すように、記録用紙Ｐは、二次転写ロール８０と中間転写ベルト６４（二次転写バックアップロール７２）とのニップ部（二次転写位置Ａ）を通る。ニップ部から出た記録用紙Ｐの搬送路２８は、二次転写ロール８０と二次転写バックアップロール７２とに対して略９０度の方向となる。上述したように、回動軸シャフト１０２は、記録用紙Ｐの搬送路２８に面している。よって、アーム１０４，１１４が回動し、二次転写ロール８０を中間転写ベルト６４（二次転写バックアップロール７２）に付勢する方向は二次転写ロール８０が中間転写ベルト６４（二次転写バックアップロール７２）に対向する方向と略同方向となる。このため、二次転写ロール８０を中間転写ベルト６４（二次転写バックアップロール７２）に付勢する付勢力を効率良く伝えることができる。
【００７７】
また、二次転写ロール８０の回転軸１０１と回動軸シャフト１０２との距離より、バネ１０８のアーム１０４ａとの当接位置と回動軸シャフト１０２と距離の方が長い。よって、テコの原理で、バネ１０８の付勢力よりも大きな力で、二次転写ロール８０を中間転写ベルト６４（二次転写バックアップロール７２）に付勢する。
【００７８】
更に、回動軸シャフト１０２に対して二次転写ロール８０より離れた位置をバネ１０８が付勢する構成である。（バネ１０８と回動軸シャフト１０２との間に二次転写ロール８０が位置している）。よって、バネと二次転写ロールとの間に回動軸シャフトがある構成（例えば、特開平１１−１６１０５０号公報の図２参照）と比較し、省スペースとなっている。
【００７９】
また、分岐するアーム１０４ｂ，１１４ｂに偏心カム１０６が当接するので、回動軸シャフト１０２と偏心カム１０６の当接位置との距離が長い。よって、テコの原理で偏心カム１０６の駆動力が小さくても、アーム１０４，１１４を回動させて、二次転写ロール８０を離間できる。
【００８０】
更に、アーム１０４，１１４はＬ字形となっているので、偏心カム１０６のアーム１０４ｂ，１１４ｂの当接位置は、回動軸シャフト１０２に対して二次転写ロール８０側に配置されている。よって、回動軸シャフトに対して二次転写ロールと反対側（例えば、特開平１１−１６１０５０号公報の図２参照）と比較し、省スペースとなっている。
【００８１】
さて、記録用紙Ｐは搬送される際に、案内部材２９等と接触し帯電する。また、二次転写ロール８０の転写バイアスによっても帯電する。
【００８２】
このように記録用紙Ｐが帯電すると、静電気力によって記録用紙Ｐが中間転写ベルト６４から剥離されにくくなり、中間転写ベルト６４に巻き付いてしまう場合がある。また、記録用紙Ｐに二次転写されたトナー像が、静電気によって乱れ、画質を劣化させることもある。したがって、帯電した記録用紙Ｐの除電を行うことが望ましい。
【００８３】
図３に示すように、回動軸シャフト１０２は、二次転写ロール８０の記録用紙Ｐの搬送方向に対して下流側に位置している。また、記録用紙Ｐの搬送路２８に面している。ただし、記録用紙Ｐとは接触しない位置となっている。また、図２に示すように、記録用紙Ｐの幅以上に渡って露出している。そして、回動軸シャフト１０２は金属性で導電性を有している。
【００８４】
したがって、記録用紙Ｐが、回動軸シャフト１０２上を通過する際に、回動軸シャフト１０２に放電し、記録用紙Ｐが除電される。よって、前述した記録用紙Ｐの中間転写ベルト６４へ巻き付きや、記録用紙Ｐ上のトナー像の乱れが防止されている。
【００８５】
なお、急激に除電すると、二次転写されたトナー像が乱れ、画質が劣化する。また、記録用紙Ｐが何らかの原因で回動軸シャフト１０２に接触すると、二次転写ロール８０に印加した転写バイアスが記録用紙Ｐを伝わって回動軸シャフト１０２に流れ、記録用紙Ｐへの二次転写を阻害し、やはり画質が劣化する。
【００８６】
しかし、図２に示すように、回動軸シャフト１０２は抵抗１２０を介して接地されているので、除々に除電される。よって、二次転写されたトナー像が乱れて画質が劣化しにくい。また、記録用紙Ｐが何らかの原因で回動軸シャフト１０２に接触しても、転写バイアスが記録用紙Ｐを伝わり、回動軸シャフト１０２に流れにくい。よって、記録用紙Ｐへの二次転写を阻害しない。
【００８７】
また、回動軸シャフト１０２は、カバー等で覆われておらず搬送路２８に対し露出しているので、低コストであるとともに、コンパクトな開同機構で二次転写ロール８０を中間転写ベルト６４に効率良く付勢することができる。
【００８８】
つぎに本発明の第２の実施形態を図面に基づいて説明する。なお、第１実施形態で説明した部材には同一の符号を付し、重複する説明は省略する。
【００８９】
図５に示すように、第２実施形態のカラープリンタ１１の回動機構２００の回動軸シャフト１０２は、二次転写ロール８０の記録用紙Ｐの搬送方向に対して上流側に位置している。また、偏心カム２０６を回動することで、二次転写ロール８０は中間転写ベルト６４に対して接離する。
【００９０】
つぎに、上記実施形態の作用について説明する。
【００９１】
第２の実施形態も第１の実施形態と同様の作用を奏すが、以下の点において異なる作用を奏す。
【００９２】
第１の実施形態では、図３に示すように、回動軸シャフト１０２は、二次転写ロール８０の記録用紙Ｐの搬送方向に対して下流側に位置している。つまり、二次転写後に記録用紙Ｐを除電している。このため、何らかの原因で記録用紙Ｐが回動軸シャフト１０２に接触すると、抵抗１２０（図２参照）を介していても、各種条件などによっては、記録用紙Ｐ上のトナー像が乱れ、画質が劣化することがある。このため、極力接触しないように、回動軸シャフト１０２の位置と記録用紙Ｐの搬送の制御とを高精度に設計する必要がある。
【００９３】
これに対し、第２の実施形態は、図５に示すように、回動軸シャフト１０２は、二次転写ロール８０の記録用紙Ｐの搬送方向に対して上流側に位置している。よって、回動軸シャフト１０２は、記録用紙Ｐの二次転写前に除電している。よって、何らかの原因で記録用紙Ｐが回動軸シャフト１０２に接触し、急激に除電されても、二次転写後のトナー像が乱れ、画質が劣化することはない。よって、回動軸シャフト１０２の位置精度と記録用紙Ｐの搬送制御は、第１の実施形態と比較しラフで良い。
【００９４】
なお、本発明は、上記の実施の形態に限定されるものではない。
【００９５】
例えば、上記実施の形態では、回動軸シャフト１０２は、抵抗１２０を介して、接地されていたが、これに限定されない。例えば、ダイオードを介して接地されていても良い。あるいは、接地せず、電気的に浮いた状態であっても良い。
【００９６】
また、例えば、回動軸シャフト１０２は搬送路２８に露出していたが、これに限定されない。回動軸シャフト１０２が搬送路２８に面していても、回動軸シャフト１０２と搬送路２８と間に、例えば、記録用紙Ｐの搬送を案内する案内部材等が配置されていても良い。なお、この場合は、回動軸シャフトによる記録用紙Ｐの除電作用は奏さない。
【００９７】
また、例えば、記録用紙Ｐ以外の記録媒体であっても良い。例えば、ＯＨＰシートなどであっても良い。
【図面の簡単な説明】
【００９８】
【図１】本発明の第１の実施形態に係るカラープリンタの内部を模式的に示す断面図である。
【図２】本発明の第１の実施形態に係るカラープリンタの回動機構を模式的に示す正面図である。
【図３】本発明の第１の実施形態に係るカラープリンタの回動機構を模式的に示す側面図である。
【図４】本発明の第１の実施形態に係るカラープリンタの回動機構を模式的に示し、（ａ）は二次転写ロールが中間転写ベルトに当接している状態を、（ｂ）はアームが回動し二次転写ロールが中間転写ベルトから離間している状態を示している。
【図５】本発明の第２の実施形態に係るカラープリンタの回動機構を模式的に示し、（ａ）は二次転写ロールが中間転写ベルトに当接している状態を、（ｂ）はアームが回動し二次転写ロールが中間転写ベルトから離間している状態を示している。
【符号の説明】
【００９９】
１０    カラープリンタ（画像形成装置）
６４    中間転写ベルト（像担持体）
８０    二次転写ロール（転写ロール）
１００    回動機構
１０１    回転軸
１０２    回動軸シャフト
１０４    アーム
１０６    偏心カム（カム）
１０８    バネ（付勢手段）
１１４    アーム
１２０    抵抗
Ｐ    記録用紙（記録媒体）
【図１】
2005300847.tif 000003
【図２】
2005300847.tif 000004
【図３】
2005300847.tif 000005
【図４】
2005300847.tif 000006
【図５】
2005300847.tif 000007